(57)【要約】【課題】クーリング運転中における冷却休止期間を必要とする光源ランプを用いた投写型映像表示装置において、冷却休止期間をスタンバイと勘違いされることのないような報知機能を有する投写型映像表示装置を提供することを目的とする。【解決手段】本発明に係る投写型映像表示装置は、投写運転終了後のクーリング運転中に一旦冷却を休止する冷却休止期間を必要とする特性の光源ランプ２２を使用したものである。そして、光源ランプ２２を冷却するための冷却ファン４１と、運転状態を報知するための音声を出力するスピーカ５２と、冷却ファン４１の運転及びスピーカ５２による音声の出力を制御する制御部とを備える。また、制御部は、冷却休止期間中、冷却ファン４１を停止するとともにスピーカ５２による音声の出力を連続的に行うように冷却ファン４１及びスピーカ５２を制御する。【選択図】図３
2013117630.tif 000002
【特許請求の範囲】
【請求項１】
投写運転終了後のクーリング運転中に一旦冷却を休止する冷却休止期間を必要とする特性の光源ランプと、
光源ランプを冷却するための冷却ファンと、
運転状態を報知するための音声を出力するスピーカと、
冷却ファンの運転及びスピーカによる音声の出力を制御する制御部とを備え、
前記制御部は、少なくとも冷却休止期間中、冷却ファンを停止するとともにスピーカによる音声の出力を連続的に行うように前記冷却ファン及びスピーカを制御する
ことを特徴とする投写型映像表示装置。
【請求項２】
請求項１記載の投写型映像表示装置において、
前記スピーカによる運転状態を報知するための音声は、ファン音に近似した擬似音である
ことを特徴とする投写型映像表示装置。
【請求項３】
請求項１記載の投写型映像表示装置において、
前記スピーカによる運転状態を報知するための音声は、メロディである
ことを特徴とする投写型映像表示装置。
【請求項４】
請求項２又は３記載の投写型映像表示装置において、
前記スピーカによる運転状態を報知するための音声は、言語によるメッセージを含む
ことを特徴とする投写型映像表示装置。
【請求項５】
請求項１〜４に記載の何れか１項に記載の投写型映像表示装置において、
前記スピーカによる音声の出力は、前記冷却休止期間中のみ行われる
ことを特徴とする投写型映像表示装置。
【請求項６】
請求項１〜４に記載の何れか１項に記載の投写型映像表示装置において、
前記スピーカによる音声の出力は、投写運転をオフするオフ操作時からスタンバイ状態に移行するまでの間連続的に行われる
ことを特徴とする投写型映像表示装置。
【請求項７】
請求項１〜６に記載の何れか１項に記載の投写型映像表示装置において、
さらに運転状態を報知するＬＥＤ表示部が設けられ、
運転状態を報知する手段としてＬＥＤ表示部の点灯表示と前記スピーカによる音声の出力とが併用されている
ことを特徴とする投写型映像表示装置。
【発明の詳細な説明】
【技術分野】
【０００１】
本発明は、投写型映像表示装置に関し、特に、光源ランプを冷却するクーリング運転時の報知手段に関する。
【背景技術】
【０００２】
光変調装置として液晶パネルを用いた液晶投写型映像表示装置（以下液晶プロジェクタと称するときはこの投写型映像表示装置を意味する）においては、一般に超高圧水銀ランプが用いられている。また、超高圧水銀ランプの再点灯性を良好にするため、投写運転停止後、光源ランプを一気に冷却するクーリング運転が一般に採用されている。なお、このクーリング運転においては、光源ランプ以外の高温発熱源である電源部や、光学系部品である液晶パネルや偏光板なども冷却されているが、最も冷却に時間の要する部品はこの光源ランプである。光源ランプとしては、最近では高圧水銀ランプが多く用いられている。高圧水銀ランプの冷却は、特許文献１に記載されているように、ランプの再点灯性を良好にするための重要な要素であり、一気に冷却されるのが一般的であった。
【０００３】
そして、このようなクーリング運転を行うことにより商用電源を遮断してもよい状態になった場合には、これを報知するために、ＬＥＤ表示部の表示灯の色を切り換えるような報知手段が講じられている。例えば特許文献２においては、ＬＥＤ表示部が緑色ＬＥＤの点灯から赤色ＬＥＤの点灯に切り換えられている。
【先行技術文献】
【特許文献】
【０００４】
【特許文献１】特開２０００−２２２９３６号公報
【特許文献２】特開２０１１−８５８０６号公報
【発明の概要】
【発明が解決しようとする課題】
【０００５】
しかし、近年光源ランプの超寿命化の研究が進められている中、投写運転停止後の光源ランプの冷却を一気に行うよりも、光源ランプへの冷却風の吹き付けを途中一時的に休止する冷却休止期間を設けたほうが再点灯性の良好な光源ランプが出現するようになった。このため、光源ランプに冷却風を吹きつけている冷却運転から冷却休止期間に移行するときは、冷却ファンが停止される。また、冷却休止期間へ移行するときの運転状態の変化及びその後の状態は、クーリング運転が終了されてスタンバイへ以降するときと同一である。したがって、冷却運転から冷却休止期間に移行するとき及び休止期間中であることを報知する報知手段としては、従来のようにＬＥＤ表示部における点灯させるＬＥＤの色を切り換えるのみでは、見落とされることがある。また、ユーザが冷却休止期間をスタンバイ状態と勘違いし、不用意に商用電源を遮断する恐れがある。また、ユーザは、一定時間の冷却休止期間が終了して再度冷却運転が開始されるときに、冷却ファンが再稼動されるためこれを異常動作と誤解する恐れがある。
【０００６】
本発明は、このような従来技術における問題点を解決するものであって、クーリング運転中における冷却休止期間を必要とする光源ランプを用いた投写型映像表示装置において、冷却休止期間をスタンバイと勘違いされることのないような報知機能を有する投写型映像表示装置を提供することを目的とする。
【課題を解決するための手段】
【０００７】
請求項１に記載された発明に係る投写型映像表示装置は、投写運転終了後のクーリング運転中に一旦冷却を休止する冷却休止期間を必要とする特性の光源ランプと、光源ランプを冷却するための冷却ファンと、運転状態を報知するための音声を出力するスピーカと、冷却ファンの運転及びスピーカによる音声の出力を制御する制御部とを備え、前記制御部は、少なくとも冷却休止期間中、冷却ファンを停止するとともにスピーカによる音声の出力を連続的に行うように前記冷却ファン及びスピーカを制御することを要旨とする。
【０００８】
このような構成によれば、投写運転状態からスタンバイ状態へ移行する途中のクーリング運転において、運転状態が冷却休止期間に入った場合に、スピーカによる音声の出力が継続的に行われるので、ユーザがこの冷却休止期間をスタンバイ状態と勘違いすることがなくなる。また、この冷却休止期間をクーリング運転の一部として認識することが容易となる。さらに、冷却休止期間が終了した後に冷却ファンの運転が再開された場合においても、これを異常状態と誤解されることが少なくなる。
【０００９】
請求項２記載の発明は、請求項１記載の投写型映像表示装置において、前記スピーカによる運転状態を報知するための音声は、ファン音に近似した擬似音であることを要旨とする。
【００１０】
このような構成によれば、運転状態を報知するための音声として、冷却ファン音に近似した擬似音が用いられるので、より明確にこの冷却休止期間をクーリング運転中の一運転態様として認識することができる。
【００１１】
請求項３記載の発明は、請求項１記載の投写型映像表示装置において、前記スピーカによる運転状態を報知するための音声は、メロディであることを要旨とする。
このような構成によれば、運転状態を報知するための音声としてメロディが用いられるので、不快音を無くし爽やかなメロディに置き換えることができる。
【００１２】
請求項４記載の発明は、請求項２又は３記載の投写型映像表示装置において、前記スピーカによる運転状態を報知するための音声は、言語によるメッセージを含むことを要旨とする。
【００１３】
このように構成すれば、運転状態を報知するための音声として、言語によるメッセージが付加されることにより、ユーザに対し、運転状態が冷却休止期間状態であることを明確に言葉で伝えることができる。
【００１４】
請求項５記載の発明は、請求項１〜４に記載の何れか１項に記載の投写型映像表示装置において、前記スピーカによる音声の出力は、前記冷却休止期間中のみ行われることを要旨とする。
【００１５】
このように構成すれば、運転状態を報知するための音声が冷却休止期間中のみ出力されるため、このような音声の有無により、他の運転状態との区別を簡潔に報知することができる。
【００１６】
請求項６記載の発明は、請求項１〜４に記載の何れか１項に記載の投写型映像表示装置において、前記スピーカによる音声の出力は、投写運転をオフするオフ操作時からスタンバイ状態に移行するまでの間連続的に行われることを要旨とする。
【００１７】
このような構成によれば、スピーカによる音声が出力されている間は、クーリング運転中であると認識できるので、冷却休止期間をスタンバイ状態と勘違いされることがない。また、冷却休止期間の終了後に冷却ファンの運転が再開されても、これを異常状態と意識されることも少なくなる。
【００１８】
請求項７記載の発明は、請求項１〜６に記載の何れか１項に記載の投写型映像表示装置において、さらに運転状態を報知するＬＥＤ表示部が設けられ、運転状態を報知する手段としてＬＥＤ表示部の点灯表示と前記スピーカによる音声の出力とが併用されていることを要旨とする。
【００１９】
このような構成によれば、運転状態を報知する手段としてＬＥＤ表示部による視覚的報知とスピーカから音声を出力する聴覚的報知とが併用されるため、ＬＥＤ表示部による視覚的報知が見落とされている環境や、人声が大きく聴覚的報知が難しい環境などの種々の環境に対応して、ユーザに運転状態を報知することができる。
【発明の効果】
【００２０】
本発明に係る投写型映像表示装置によれば、投写運転状態からスタンバイ状態へ移行する途中において、運転状態が冷却休止期間に入った場合に、スピーカによる音声の出力が継続的に行われるので、ユーザがこの冷却休止期間をスタンバイ状態と勘違いすることがなくなるとともに、この冷却休止期間をクーリング運転の一部として認識することが容易となる。また、冷却休止期間が終了した後に冷却ファンの運転が再開された場合においても、これを異常状態と誤解されることが少なくなる。
【図面の簡単な説明】
【００２１】
【図１】本発明の実施の形態に係る投写型映像表示装置の構成を示すブロック図である。
【図２】同投写型映像表示装置におけるクーリング運転時の処理手順を示すフローチャートである。
【図３】同クーリング運転時の処理手順を示すタイミングチャートである。
【発明を実施するための形態】
【００２２】
以下、本発明の実施の形態１に係る投写型映像表示装置について図面を参照しながら説明する。
この投写型映像表示装置は、液晶パネルを用いた３板式液晶プロジェクタであって、図１に示すように、装置全体の制御運転に係わる構成要素として、制御部１１、記憶部１２、操作部１３、電源部１４を備えている。また、この投写型映像表示装置は、光学系として光源ランプ２２、液晶パネル２１などを備えている。また、この投写型映像表示装置は、光学系を機能させるための構成要素として、映像信号入力部３１、映像信号処理部３２、液晶パネル駆動部３３、光源ランプ駆動部３４などの信号処理系を備えている。また、この投写型映像表示装置は、クーリング運転を行う構成要素として冷却ファン４１及びファン駆動部４２を備えている。また、この投写型映像表示装置は、運転状態を報知する構成要素として音声合成回路５１、スピーカ５２、ＬＥＤ駆動部５３、ＬＥＤ表示部５４等を備えている。
【００２３】
以下、上記の各構成要素の内容について具体的に説明する。先ず装置全体の制御運転に係わる構成要素について説明する。
制御部１１は、ＣＰＵ（Central Processing Unit）や各種データ等の一次記憶に用いられるＲＡＭ（Random Access Memory）等を備え、記憶部１２に記憶された制御プログラム等を実行して、プロジェクタの動作を統括制御する。このために、制御部１１は、それ自身に接続されている各部から入力される各種データを演算するとともに、演算結果を各部に出力する。このように、制御部１１は、記憶部１２とともにコンピュータとして機能する。
【００２４】
記憶部１２は、マスクＲＯＭ（Read Only Memory）や、フラッシュメモリ等の不揮発メモリにより構成されている。記憶部１２には、プロジェクタの動作を制御するための制御プログラムや、プロジェクタの動作条件を規定する各種設定データ等が記憶されている。
【００２５】
操作部１３は、ユーザからの入力操作を受け付けるものであり、ユーザがプロジェクタに対し各種の指示を行うための複数のキーを備えている。操作部１３が備える操作キーとしては、電源のオンオフを切り替えるためのメインスイッチ（運転スイッチ）、有効な入力端子を切り換えるための入力切換スイッチ等がある。ユーザが操作部１３の各種操作キーを操作すると、操作部１３は、この入力操作を受け付けて、ユーザの操作内容に応じた操作信号を制御部１１に出力する。
【００２６】
電源部１４には、ＡＣケーブルを介して商用電源（交流電源）１４ａが供給される。電源部１４は、商用電源１４ａを所定の電圧の直流に変換して、図１の破線に示すように制御部１１等プロジェクタの各部へ電源を供給する。また、電源部１４は、制御部１１の指示に基づいて、映像の投写に必要な電力を各部に供給する電源オンの状態と、動作電力の供給を停止しつつ、電源をオンにするための操作を待機するスタンバイ状態とに切り換えることができる。なお、ユーザによってＡＣケーブルのプラグが商用電源の電源コンセントから抜かれると、プロジェクタへの商用電源１４ａの供給が遮断される。
【００２７】
次に光学系を構成する構成要素について説明する。
光源ランプ２２は、発光管から放射される光をリフレクタにより平行光として出射する高圧水銀ランプであって、発光管内に陰極と陽極とが対向配置され、さらに発光管内には発光物質として水銀が封入されている。この高圧水銀ランプには超高圧水銀ランプと称されるものをも含む。
【００２８】
このような高圧水銀ランプは、水銀が蒸気の状態となっている雰囲気中において陽極と陰極との間でアーク放電が形成されることにより点灯するものであるが、消灯時又はそれ以後において各部の温度が低下するに伴い水銀が陽極、陰極等に凝縮して付着する。この場合において、陰極又はその近傍の表面に水銀が付着すると、再点灯動作時に陰極の温度が速やかに上昇しないため、凝縮している水銀が蒸発せず、高圧水銀ランプの再点灯に必要な水銀蒸気圧が得られなくなり、ランプの再点灯に失敗する。これを防ぐには、消灯動作時又はそれ以後において、再点灯動作時に速やかに温度が上昇する陽極に優先的に水銀を凝縮させ、陰極への水銀の凝縮を防止することが必要とされている。このための方法として、従来は消灯と同時に冷却ファンを駆動して、陰極が冷却される前に陽極を一気に冷却する手段がとられていた。しかし、本実施の形態に係る超高圧水銀ランプは、最近開発されたものであって、超寿命化対策などの改善策が施されているなどとの関連上、冷却を休止する冷却休止期間を挟んで、冷却を２回に分けて行うことが必要とされるものである。
【００２９】
液晶パネル２１は、光変調する光変調素子として機能するものであって、具体的には図示していないが入射側偏光板、光学補償板、出射側偏光板などと組み合わされて液晶変調装置を構成する。また、液晶パネル２１は、赤色（Ｒ）光用、緑色（Ｇ）光用及び青色（Ｂ）光用のものから成る。光源ランプ２２から出射される白色光は、分離光学系（図示せず）でＲ光、Ｇ光及びＢ光に分離され。分離されたＲ光、Ｇ光及びＢ光はそれぞれ各色光用の液晶パネル２１に入射される。各液晶パネル２１は、信号処理系から入力される映像信号に応じた回転角を持ち、入射される光を光変調する。そして、液晶パネル２１によって変調されたＲ光、Ｇ光及びＢ光は、ダイクロイックプリズム（図示せず）によって色合成された後に、投写レンズ（図示せず）によって投写面（図示せず）に拡大投写される。
【００３０】
次に、これら光学系を駆動制御する信号処理系について説明する。
映像信号入力部３１には、入力端子３１ａを介し、各種映像再生機器からの映像信号が入力される。映像信号入力部３１は、アナログＰＣ、デジタルＰＣ、ビデオ、テレビなどの各種映像再生機器からの投写映像信号に対応し得るようにアナログＩ／Ｆ、デジタルＩ／Ｆ、ビデオＩ／Ｆ、などの入力インターフェースを備えている。そして、映像信号入力部３１に入力された映像信号は、Ａ／Ｄ変換、デコード等の適宜の処理が行われてデジタル信号に変換されて映像信号処理部３２へ出力される。
【００３１】
映像信号処理部３２は、映像信号入力部３１から出力された映像信号を、１フレーム毎に付属のフレームメモリ（図示せず）に書き込むとともに、フレームメモリーに記憶された映像を読み出す機能を有する。また、映像信号処理部３２は、制御部１１の指示に基づいて、入力された映像信号に対しスケーリング処理、ガンマ補正、輝度補正などの一般的な映像処理を行う。
【００３２】
液晶パネル駆動部３３は、映像信号処理部３２から出力された映像信号、すなわち、信号処理系から供給される映像信号を、Ｒ光用、Ｇ光用及びＢ光用の液晶パネル２１を駆動することのできる信号形態に変換する。また、この液晶パネル駆動部３３においては、Ｒ光用、Ｇ光用及びＢ光用の液晶パネル２１を駆動するための駆動パルスが同時に生成される。
【００３３】
光源ランプ駆動部３４は、電源部（後述する）から入力された直流の電圧を光源ランプ２２を駆動するのに適した波形の電圧に変換するものであって、光源ランプ２２の始動時あるいは定常動作時などに、それぞれに適した波形の電圧を出力する。
【００３４】
次に、クーリング運転を行う構成要素について説明する。
冷却ファン４１は、光源ランプ２２、液晶パネル２１、電源部１４を冷却するものであり、冷却系統により、風量を異ならせるとともに、吸入する空気を機内とするか機外とするかなど、多様に設計される。この実施の形態において、冷却ファン４１は、光源ランプ２２を冷却するランプ冷却ファン、電源部１４を冷却する電源冷却ファン、液晶パネル２１等の光学系部品を冷却する光学系冷却ファンからなるものとする。また、本明細書において、単に冷却ファン４１と称するときは、これら冷却ファンを総称するものとする。さらに、これら冷却ファン４１としては、シロッコファン、プロペラファンなどが適宜使い分けされているものとする。
【００３５】
ファン駆動部４２は、制御部１１の指令に基づき、冷却ファン４１の始動及び停止（発停）を行うとともに、その回転数を変更する回路からなるものである。例えば、筐体の内部温度が高温の場合には、冷却ファン４１を高速で運転し冷却効果を挙げて各部の温度上昇を抑制し、筐体の内部温度が低い場合には、冷却ファン４１を低速で運転し、騒音を低減するとともに電力消費の抑制を行っている。また、投写運転停止後のクーリング運転における冷却ファンの発停制御も、制御部１１の指示の下行っている。
【００３６】
次に、運転状態を報知する構成要素について説明する。
音声合成回路５１は、制御部１１からの指示に基づき、記憶部１２に記憶されている音声データを読み出し、これを復号して増幅し、スピーカ５２に出力する。
【００３７】
スピーカ５２は、音声合成回路５１からの信号を受けてこれを音声に変換して出力する。
ＬＥＤ駆動部５３は、制御部１１からの指示に基づきＬＥＤ表示部５４において点灯させるＬＥＤの色を切り換えたり、同じ色のＬＥＤでも点灯方法を切り換えたりしている。この実施の形態においては、ＬＥＤ表示部５４には赤色ＬＥＤと青色ＬＥＤとが装備されている。
【００３８】
次に、以上のように構成された投写型映像表示装置における、クーリング運転時の制御部１１による処理手順について、図２のフローチャートに基づき説明する。
一般に、プロジェクタでは、ＡＣケーブルの一端に備わる電源プラグが商用電源１４ａのコンセントに差し込まれると、電源部１４に商用電源１４ａが供給され、電源部１４から制御部１１、記憶部１２、操作部１３等に電源が供給されてスタンバイ状態となる。また、スタンバイ状態においてメインスイッチ（運転スイッチ）がＯＮされると制御部１１により光源ランプ２２や液晶パネル２１が起動されて投写運転が開始される。この状態においてＬＥＤ表示部５４では赤色ＬＥＤが点灯されている。
【００３９】
そして、この投写運転状態において、メインスイッチがＯＦＦ、すなわち、オフ操作されると投写運転が終了しクーリングが開始される。
先ず、クーリング運転へ移行するために光源ランプ２２が消灯されるとともに（ステップＳ１）、ＬＥＤ表示部５４において赤色ＬＥＤが点灯状態から点滅状態へ切り換えられる（ステップＳ２）。これにより、光源ランプ２２停止後の第１回目の冷却期間に切り換えられ、第１回目の冷却運転が行われる。この第１回目の冷却期間における冷却運転時間Ｔａは、予めＴＩ時間と設定されている。
【００４０】
そこで、次のステップでは、タイマの作動により第１回目の冷却運転時間ＴａがＴ１時間を経過したかどうか判断される（ステップＳ３）。Ｔ１時間経過するまではこの状態が維持される。Ｔ１時間経過すると（ステップＳ３でＹＥＳ）、次のステップへ移行し冷却ファン４１が停止され、冷却休止期間へ移行する。そして、制御部１１の命令に従い音声合成回路５１で冷却ファン４１の擬似音信号が合成され、これを増幅してスピーカ５２へ出力する。これにより、冷却休止期間中は継続してこの冷却ファン４１の擬似音がスピ−カ５２から出力される（ステップＳ５）。このスピ−カ５２による冷却ファン４１の擬似音の出力は、音声により運転状態がクーリング運転中であることを報知するものである。なお、この冷却休止期間は、予めＴ２時間と設定されている。
【００４１】
そこで、次のステップでは、冷却休止期間における休止時間ＴｂがＴ２時間を経過するかどうかを見て（ステップＳ６）、Ｔ２時間経過したときに（ステップＳ６でＹＥＳ）冷却ファン４１の運転を再開させる（ステップＳ７）。また、同時に冷却ファン４１の擬似音の出力を停止する（ステップＳ８）。これが第２回目の冷却運転を行う第２回目の冷却期間である。この第２回目の冷却期間は予めＴ３時間と設定されている。
【００４２】
そこで、次のステップでは、第２回目の冷却運転時間ＴｃがＴ３時間を経過するかどうかを見て（ステップＳ９）、Ｔ３時間を経過したときに（ステップＳ９でＹＥＳ）冷却ファン４１を再度停止させるとともに（ステップＳ１０）、ＬＥＤ表示部５４におけるＬＥＤの点灯を、赤色ＬＥＤの点灯状態から青色ＬＥＤの点灯に切り換える（ステップＳ１１）。青色ＬＥＤの点灯は、第２回目の冷却運転の終了であり、クーリング運転の終了を意味する。また、スタンバイ状態になることを意味している。
【００４３】
ここで、以上のように構成されたプロジェクタの作用について説明する。なお、以下の説明は図３を参照するとよく理解できる。
投写運転中にメインスイッチをオフするオフ操作が行われると、光源ランプ２２が消灯され、投写運転が停止される。このとき、光源ランプ２２、電源部１４、及び液晶パネル２１や偏光板などの光学系部品を冷却する冷却ファン４１はその運転が継続される。したがって、スイッチオフの操作を始点としてクーリング運転が開始される。なお、この実施の形態において、冷却ファン４１は、光源ランプ２２を冷却する冷却ファン、電源部１４を冷却する冷却ファン、液晶パネル２１等の光学系部品を冷却する冷却ファンを有するが、これら冷却ファンの運転制御は、制御部１１の指示に従い各ファン同時に運転開始、停止が行われる。
【００４４】
クーリング運転は、光源ランプ２２の仕様に合わせ途中に冷却休止期間を挟み２回に分けて行われる。光源ランプ２２の仕様に基づき、第１回目の冷却期間はＴ１に設定され、冷却休止期間はＴ２に設定され、第２回目の冷却期間はＴ３に設定されている。したがって、クーリングの運転時間はＴ１＋Ｔ２＋Ｔ３となる。この時間配分は、主として光源ランプ２２の再点灯性を良好にするために、実験により確認される時間である。また、この時間配分は、光源ランプ２２の機種の特性に基づくものであり機種毎に確認することが必要である。また、これまでの実験的確認によれば、第１回目の冷却運転停止後の冷却休止期間において、電源部１４及び液晶パネル２１等の光学系部品に支障をきたす恐れは全く無かった。
【００４５】
クーリング運転が開始された後、Ｔ１＋Ｔ２＋Ｔ３の時間が経過すると冷却ファン４１の運転が停止され、光源ランプ２２、電源部１４、及び液晶パネル２１等の光学系部品の冷却、すなわちクーリング運転が終了する。クーリング運転終了後は、光源ランプ２２が消灯され、冷却ファン４１が停止されたスタンバイ状態となる。
【００４６】
また、クーリング運転が開始された後、Ｔ１時間が経過された時点で、冷却ファン４１の運転が休止され、冷却休止期間へ移行する。この冷却休止期間は、光源ランプ２２が消灯され、冷却ファン４１が停止された状態であるので、内部機器の温度が高い点を除いてはスタンバイ状態と見かけ上同一になる。このため、ユーザには、冷却休止期間へ移行したときにスタンバイ状態に移行したのではないこと、及び、未だクーリング運転が終了していないことをしっかりと意識させる必要がある。
【００４７】
そこで、本実施の形態においては、冷却休止期間へ移行したときに、制御部１１からの命令により音声合成回路５１において冷却ファン４１の運転音に近似する擬似音を合成させている。また、合成された音声信号を増幅してスピーカへ送り、冷却休止期間中はスピーカ５２からこの擬似音を継続的に出力するようにしている。したがって、ユーザは、この擬似音がスピーカ５２を通じて継続的に流されることにより、スタンバイ状態との区別が明確となり、スタンバイ状態との勘違がなくなる。
【００４８】
また、本実施の形態においては、従来のものと同様に、視覚的な表示により今どのような運転状態にあるかを理解できるようにＬＥＤ表示部５４におけるＬＥＤの点灯状態を制御している。
【００４９】
すなわち、投写運転状態においては赤色ＬＥＤが点灯され、クーリング運転においてはこの赤色ＬＥＤを点滅するように変化させている。なお、この赤色ＬＥＤの点滅は、冷却休止期間中も係属されており、クーリング運転中はその表示に変化が無い。これにより、クーリング運転が係属していることを報知している。また、クーリング運転終了後のスタンバイ状態においては、青色ＬＥＤを点灯させている。なお、この青色ＬＥＤの点灯は、運転開始のために電源に商用電源１４ａを供給したのちのスタンバイ状態においても同様に行われている。
【００５０】
次に以上のように構成された本発明の実施の形態に係る効果について説明する。
（１）クーリング運転において、運転状態が冷却休止期間に入った場合に、スピーカ５２による音声の出力が継続的に行われるので、ユーザがこの冷却休止期間をスタンバイ状態と勘違いすることがなくなる。また、この冷却休止期間をクーリング運転の一部として認識することが容易となる。さらに、冷却休止期間が終了した後に冷却ファンの運転が再開された場合においても、これを異常状態と誤解されることが少なくなる。
【００５１】
（２）運転状態を報知するための音声として、冷却ファン音に近似した擬似音が用いられるので、より明確にこの冷却休止期間をクーリング運転中の一運転態様として認識することができる。
【００５２】
（３）運転状態を報知するための音声として、冷却ファンの擬似音が冷却休止期間中のみ出力されるため、このような音声の有無により、他の運転状態との区別を簡潔に報知することができる。
【００５３】
（４）運転状態を報知する手段として、上記音声による報知以外に運転状態を報知するＬＥＤ表示部５４が設けられ、ＬＥＤの点灯表示とスピーカによる音声の出力とが運転状態を報知する手段として併用されている。したがって、ＬＥＤの点灯による視覚的報知が見落とされやすい環境や、人声が大きく聴覚的報知が難しい環境などの種々の環境に対応して、ユーザに運転状態を報知することができる。
【００５４】
（変形例）
本発明は、上記実施の形態において、以下のように変更することもできる。
・前記実施の形態においては、冷却休止期間中に運転状態を報知するための音声として、冷却ファン音に近似した擬似音をスピーカ５２から出力させていたが、この音声に代わりさわやかな感じのメロディを流すようにしてもよい。
【００５５】
・同様に、冷却休止期間中に運転状態を報知するための音声として、クーリング運転中であるので、メインスイッチをオフしたり、商用電源１４ａと接続するコンセントを引き抜いたりするなどの行為をしない旨のアナウス（メッセージ）を適宜の時間間隔で流すようにしてもよい。
【００５６】
・また、冷却休止期間中に運転状態を報知するための音声として、冷却ファン音に近似した擬似音とともに、メッセージやメロディを合わせて流すようにしてもよい。また、冷却ファンの擬似音、メッセージ、メロディの内の適宜の二つを組み合わせた組み合わせ音声をスピーカから出力するようにしてもよい。
【００５７】
・また、上記のような音声又はこれらの組み合わせ音声を冷却休止期間中だけでなく、クーリング運転中継続して出力するようにしてもよい。
・また、前記実施の形態及び上記変形例における音声については、音声の大きさを調節できるようにしておいてもよい。
【００５８】
・音声合成回路５１及びスピーカ５２については、報知のための使用についてのみ説明しているが、通常の投写運転において音声を出力させるものを、この音声におる報知手段として利用してよいことは勿論である。
【００５９】
・また、上記報知手段に併用する形で操作パネルに文字による視覚的報知を行うようにしてもよい。
・また、ＬＥＤ表示部における視覚的表示に関し、異なる色のＬＥＤの使い方、同一色ＬＥＤを点灯させるか点滅させるかの使い方などについては適宜変更してもよい。
【００６０】
・本発明は種々の投写型映像表示装置に適用できる。例えば、先の実施の形態においては、３板式液晶プロジェクタを示したが、他の映像光生成系を備えた投写型映像表示装置や、ＤＬＰ（Digital Light Processingの略であって、テキサス・インスツルメント（TI社）の登録商標）方式のプロジェクタなどに本発明を適用することもできる。
【符号の説明】
【００６１】
１１…制御部、２２…光現ランプ、４１…冷却ファン、５２…スピーカ、５４…ＬＥＤ表示部。
【図１】
2013117630.tif 000003
【図２】
2013117630.tif 000004
【図３】
2013117630.tif 000005